(57)【要約】【課題】    防塵ゴムの反発力によって生ずる撮像素子の受光面の傾きの問題を解決した撮像素子の取付構造を提案する。【解決手段】    ＣＣＤ１２とロ−パスフィルタ１４との間に防塵ゴム１３を挟持し、ＣＣＤ１２の受光面とロ−パスフィルタ１４との間を防塵構成とする撮像素子の取付構造において、平板状の周囲部１３ａと、この周囲部１３ａから下り勾配として撮像光を通す内孔１３ｃを形成した突状部１３ｂとからなる防塵ゴム１３を設け、ＣＣＤ１２をプレ−ト１６による押圧力で防塵ゴム１３の突状部１３ｂに圧接させる構成としてある。【選択図】        図３
2006100878.tif 000002
【特許請求の範囲】
【請求項１】
撮像素子を固着したプレ−トをホルダ−に取付け、撮像素子をホルダ−内の所定位置に保持する保持手段と、前記撮像素子の受光面側となるホルダ−内に設けた光学フィルタと、前記した撮像素子と光学フィルタとの間に設けた防塵用の弾性部材とを有する撮像素子の取付構造において、
前記弾性部材は、撮像光を通す内孔を設けたリング状体であって、周囲部と、この周囲部から前記撮像素子の受光面に向かって下り勾配として前記内孔を形成した突状部とからなり、
前記撮像素子を前記弾性部材の突状部に圧接させる構成としたことを特徴とする撮像素子の取付構造。
【請求項２】
請求項１に記載した取付構造において、
前記弾性部材の突状部は、平板状の周囲部から下り勾配として形成したことを特徴とする撮像素子の取付構造。
【請求項３】
請求項１に記載した取付構造において、
前記弾性部材の突状部は、周囲部から傾斜させて形成したことを特徴とする撮像素子の取付構造。
【請求項４】
請求項１に記載した取付構造において、
前記弾性部材は、周囲部外形を前記光学フィルタの周囲外形と略同じ大きさとしたことを特徴とする撮像素子の取付構造。
【請求項５】
請求項１に記載した取付構造において、
前記光学フィルタ、前記弾性部材、前記撮像素子の外形を略同じ大きさとしたことを特徴とする撮像素子の取付構造。
【請求項６】
請求項１に記載した取付構造において、
前記光学フィルタ、前記弾性部材、前記撮像素子を収納する前記ホルダ−の収納部の内径を、前記光学フィルタの外径と略同一に形成したことを特徴とする撮像素子の取付構造。
【請求項７】
請求項１に記載した取付構造において、
前記弾性部材は、周囲部外縁にテ−パ−を設け、このテ−パ−を前記ホルダ−内に形成したテ−パ−部に嵌合させ、弾性部材の位置決めをする構成としたことを特徴とする撮像素子の取付構造。
【請求項８】
請求項１に記載した取付構造において、
前記弾性部材は、周囲部の外縁部所に膨出部を形成し、弾性部材を膨出部の弾性力によって片寄せして位置決めする構成としたことを特徴とする撮像素子の取付構造。
【発明の詳細な説明】
【技術分野】
【０００１】
本発明は、デジタルカメラ、ビデオカメラ、携帯電話カメラなどの撮影機器に備える撮像素子の取付構造に関する。
【背景技術】
【０００２】
デジタルカメラは、レンズ鏡筒の後部にＣＣＤ等の撮像素子を備え、レンズを通った被写体像光を撮像素子の受光面に入射させて画像信号を出力させる。
つまり、撮像素子がレンズ鏡筒後部に設けた筒形のホルダ−内に収納されている。
【０００３】
そして、撮像素子はユニット化された取付構成によって取付けられているカメラが多い。
具体的には、この取付ユニットが、撮像素子を固着したプレ−トをホルダ−裏面に取付け、撮像素子をホルダ−内の所定位置に収納保持すると共に、撮像素子の受光面側となるホルダ−内にロ−パスフィルタを設け、さらに、撮像素子とロ−パスフィルタとの間にリング状のゴム板を設けた構成となっている。
【０００４】
上記のゴム板は、撮像素子の受光面に付着する塵を防ぐ防塵ゴムであるため、その周囲部が撮像素子とロ−パスフィルタとに密接している。
すなわち、撮像素子をプレ−トの弾性力を利用して防塵ゴム側に付勢し、撮像素子を防塵ゴムに圧接させてある。
【０００５】
防塵ゴムは、多くの場合、シ−トゴムを打ち抜き形成した長方形のリングゴムとなっている。
ただ、防塵ゴムを特殊な構成とし、その防塵ゴムを利用して撮像素子の取付基準位置を決めるようにしたものもある。
【０００６】
一例を述べれば、長方形とした防塵ゴムの隣り合う２辺には斜面を形成し、この斜面に対向する２辺には平面部を設けた構成となっている。
【０００７】
そして、この防塵ゴムは、２辺の平面部がホルダ−の基準突部に当接し、２辺の斜面に撮像素子の基準面が圧接するように組み込まれる。
このことから、撮像素子が防塵ゴムの斜面によって片寄せされて移動し、基準位置の位置決めが行なわれる。
【０００８】
その他にも防塵ゴムの構成、形状には様々のものがあるが、いずれのものも撮像素子を圧接させるようにして撮像素子に密接させる構成となっている。
【０００９】
【特許文献１】実開平２−５１４６９号公報
【発明の開示】
【発明が解決しようとする課題】
【００１０】
上記のように、防塵ゴムは、撮像素子とロ−パスフィルタとの間を防塵構造とするものであるが、撮像素子をプレ−トの弾性力で圧接させるために、防塵ゴムの反発力が作用し撮像素子の受光面が傾くことがある。
【００１１】
詳しくは、撮像素子の受光面が被写体像光（撮像光）の光軸に対する直交面から傾くために、片ボケなどが発生し、レンズ解像力が低下する。
【００１２】
具体的には、防塵ゴムを組み込む撮像素子とロ−パスフィルタとの間の隙間が、撮像素子のパッケ−ジのバラツキ、プレ−トに対する撮像素子の接着浮きや熱膨張などによってバラツクために、その隙間が少ないときには、撮像素子が強い付勢力で防塵ゴムに圧接する。
この結果、防塵ゴムの反発力が大きくなり、撮像素子が固着されたプレ−トが変形し、撮像素子の受光面が傾くことになる。
【００１３】
本発明は上記した実情にかんがみ、防塵ゴムによる反発力によって生ずる撮像素子の受光面の傾きを解決した撮像素子の取付構造を提供することを目的とする。
【課題を解決するための手段】
【００１４】
上記した目的を達成するため、本発明では、第１の発明として、撮像素子を固着したプレ−トをホルダ−に取付け、撮像素子をホルダ−内の所定位置に保持する保持手段と、前記撮像素子の受光面側となるホルダ−内に設けた光学フィルタと、前記した撮像素子と光学フィルタとの間に設けた防塵用の弾性部材とを有する撮像素子の取付構造において、前記弾性部材は、撮像光を通す内孔を設けたリング状体であって、周囲部と、この周囲部から前記撮像素子の受光面に向かって下り勾配として前記内孔を形成した突状部とからなり、前記撮像素子を前記弾性部材の突状部に圧接させる構成としたことを特徴とする撮像素子の取付構造を提案する。
【００１５】
第２の発明としては、第１の発明の取付構造において、前記弾性部材の突状部は、平板状の周囲部から下り勾配として形成したことを特徴とする撮像素子の取付構造を提案する。
【００１６】
第３の発明としては、第１の発明の取付構造において、前記弾性部材の突状部は、周囲部から傾斜させて形成したことを特徴とする撮像素子の取付構造を提案する。
【００１７】
第４の発明としては、第１の発明の取付構造において、前記弾性部材は、平板状の周囲部外形を前記光学フィルタの周囲外形と略同じ大きさとしたことを特徴とする撮像素子の取付構造を提案する。
【００１８】
第５の発明としては、第１の発明の取付構造において、前記光学フィルタ、前記弾性部材、前記撮像素子の外形を略同じ大きさとしたことを特徴とする撮像素子の取付構造を提案する。
【００１９】
第６の発明としては、第１の発明の取付構造において、前記光学フィルタ、前記弾性部材、前記撮像素子を収納する前記ホルダ−の収納部の内径を、前記光学フィルタの外径と略同一に形成したことを特徴とする撮像素子の取付構造を提案する。
【００２０】
第７の発明としては、第１の発明の取付構造において、前記弾性部材は、周囲部外縁にテ−パ−を設け、このテ−パ−を前記ホルダ−内に形成したテ−パ−部に嵌合させ、弾性部材の位置決めをする構成としたことを特徴とする撮像素子の取付構造を提案する。
【００２１】
第８の発明としては、第１の発明の取付構造において、前記弾性部材は、周囲部の外縁部所に膨出部を形成し、弾性部材を膨出部の弾性力によって片寄せして位置決めする構成としたことを特徴とする撮像素子の取付構造
を提案する。
【発明の効果】
【００２２】
第１、第２、第３の発明の取付構造によれば、撮像素子が弾性部材の突状部に圧接し、この突状部の弱い反発力を受けている。
したがって、弾性部材の反発力によって撮像素子の受光面が傾くことがない。
【００２３】
また、撮像素子のパッケ−ジのバラツキ、プレ−トに固着した撮像素子の接着浮き、その他熱膨張などによって撮像素子と光学フィルタとの間の隙間が狭くなった場合には、撮像素子に与える付勢力により、弾性部材の突状部が平面状の周囲部と面一となる方向に変形する。
【００２４】
この結果、撮像素子を保持するプレ−トを変形させることがないので、撮像素子の受光面が傾くことがなく、被写体像の片ボケなどの問題が発生しない。
【００２５】
なお、弾性部材の内孔は、突状部が平面状の周囲部と面一となるように形成して口径が縮小した場合でも、撮像素子の有効受光面と同一又はそれ以上の大きさを保つようになっている。
【００２６】
さらに、弾性部材の突状部は、撮像素子の受光面に向かって下り勾配となっているので、撮像素子が突状部によってケラレることがない。
【００２７】
第４の発明の取付構造は、弾性部材の外形を光学フィルタの外形と同じ大きさとしたことから、取付構造の小型化に有利となる。
また、この弾性部材は、突状部が変形しても、その外形の大きさは変わらないから、弾性部材の外周部を逃すためのスペ−スを必要としない。
【００２８】
第５、第６の発明の取付構造は、光学フィルタ、弾性部材、撮像素子の外形を略同じ大きさとし、また、ホルダ−の収納部の内径を光学フィルタの外径と同じにしたことから、取付構造が複雑とならず、小型化に有利となる。
【００２９】
第７の発明の取付構造によれば、弾性部材を組み込むことにより、テ−パ−の嵌合によって弾性部材が位置決めされる。
すなわち、弾性部材の内孔中心と撮像素子の受光面中心とを自動的に位置合せすることができる。
【００３０】
第８の発明の取付構造は、弾性部材をホルダ−に組み込むことにより、周囲部の外縁部に設けた膨出部によって弾性部材が片寄せされ、自動的に所定の位置に組み込まれる。
【発明を実施するための最良の形態】
【００３１】
次に、本発明の第１実施形態としてデジタルカメラに備える撮像素子の取付構造について図面に沿って説明する。
なお、この実施形態では撮像素子としてＣＣＤが用いられている。
【００３２】
図１は取付構造の断面図、図２は取付構造の分解斜視図である。
これらの図に示したように、この取付構造は、ホルダ−１１に形成した角筒部１１ａ内にＣＣＤ１２、弾性部材としての防塵ゴム１３、ロ−パスフィルタ（光学フィルタ）１４を収納した取付ユニットとして構成してある。
【００３３】
ホルダ−１１の角筒部１１ａは、レンズ側に向かって突出して形成してあり、前側（図１において上側）が、防塵ゴム１３とロ−パスフィルタ１４を収納する長方形状の孔口部１１ｂとなっており、この孔口部１１ｂより後側（図１において下側）がＣＣＤを収納させる直方体形状の内空部１１ｃとなっている。
なお、内空部１１ｃは孔口部１１ｂに比べて若干大きくした孔径となっている。
【００３４】
この取付構造は、上記した角筒部１１ａの前端部に長方形のリングである止め枠１５を配設するように、この止め枠１５をホルダ−１１にねじ止めした後に、ロ−パスフィルタ１４、防塵ゴム１３、ＣＣＤ１２の順に組み付ける。
【００３５】
すなわち、止め枠１５をねじ止めした後に、ロ−パスフィルタ１４を孔口部１１ｂに組み込み、続いて、防塵ゴム１３を孔口部１１ｂに組み込む。
ロ−パスフィルタ１４は長方形の板状とした公知構成のものである。
【００３６】
防塵ゴム１３は、平板状の周囲部と突状部とからなる長方形リングの弾性部材である。
この防塵ゴム１３の詳細については後述する。
なお、防塵ゴム１３を組み込む場合には、その一角を孔口部１１ｂの基準角に合せるようにして位置決めを行なう。
【００３７】
続いて、ＣＣＤ１２を内空部１１ｃ内に組み込む。
ＣＣＤ１２は、プレ−ト１６の面上に接着剤で予め接着して固着しておき、プレ−ト１６をホルダ−１１にねじ止めすることで、ＣＣＤ１２を内空部１１ｃ内に収納させる。
【００３８】
ＣＣＤ１２をこのように組み付けることによって、ＣＣＤ１２の受光面周囲を防塵ゴム１３の突状部に圧接させる。
すなわち、プレ−ト１６の弾性によってＣＣＤ１２に押動勢力を与え、ＣＣＤ１２を防塵ゴム１３の突状部に圧接させる構成としてある。
【００３９】
これにより、防塵ゴム１３の突状部がＣＣＤ１２の受光面周囲に圧接し、また、防塵ゴム１３の周囲部がロ−パスフィルタ１４に圧接することから、ＣＣＤ１２の受光面とロ−パスフィルタ１４との間が防塵構造となる。
【００４０】
図３は、上記した取付構造の要部を拡大して示した断面図、図４は防塵ゴム１３の拡大斜視図である。
これらの図から分かる通り、防塵ゴム１３は、平板状の周囲部１３ａと、傾斜部によって形成した突状部１３ｂと、突状部１３ｂによって形成される内孔１３ｃとを有する構成となっている。
【００４１】
突状部１３ｂは、ＣＣＤ１２に入射する被写体像光の光軸に対して一定の角度（例えば、４５度）でＣＣＤ１２側に下り勾配とした傾斜部となっている。
なお、この突状部１３ｂは、周囲部１３ａの内側から一体に下り勾配として形成し、また、周囲部１３ａと同じ肉厚としてある。
【００４２】
このように構成した防塵ゴム１３は、ＣＣＤ１２が圧接することにより、突状部１３ｂのみが周囲部１３ａと面一となる方向（図３において上方向）に変形する。
そして、突状部１３ｂは反発力が弱いので、ＣＣＤ１２を押し戻す作用がない。
この結果、プレ−ト１６の変形などによってＣＣＤ１２の受光面が傾くようなことがない。
【００４３】
上記のように構成した取付構造は、ホルダ−１１の角筒部１１ａをレンズ側に向けるように撮影レンズの後部に配設し、撮影レンズを通った被写体像光をＣＣＤ１２に入射させ、このＣＣＤ１２から画像信号を出力させる。
【００４４】
図５は、上記した取付構造の変形例を示した図３同様の断面図である。
この実施形態は、止め枠１５に代えて角筒部１１ａの先端部にフランジ部１１ｄを一体形成してある。
【００４５】
図６は、今一つの変形例を示した図３同様の断面図である。
この実施形態は、光学フィルタ１４、防塵ゴム１３、撮像素子１２の外形を略同じ大きさとし、また、これらを収納するホルダ−１１の角筒部１１ａに光学フィルタ１４の外径と略同じ内空部（収納部）１１ｃを形成し、取付構造の構成の簡単化と小型化を図っている。
【００４６】
図７は、第２実施形態として示した図３同様の断面図、図８は第２実施形態の防塵ゴムを示す斜視図である。
この実施形態は、外周囲にテ−パ−１７ｅを形成した防塵ゴム１７を備えたことに特徴があり、その他は上記の取付構造と同じ構成となっている。
【００４７】
防塵ゴム１７は、図８より分かる通り、外周囲の四辺に下り勾配のテ−パ−１７ｅが形成してある。
なお、図８に示す参照符号１７ａは周囲部、１７ｂは突状部、１７ｃは内孔であり、これらは上記した防塵ゴム１３と同様の構成である。
【００４８】
また、ホルダ−１１の角筒部１１ａには、孔口部１１ｂと内空部１１ｃとの間に防塵ゴム１７を嵌合するテ−パ−部１１ｅが設けてある。
【００４９】
このように構成した取付構造は、防塵ゴム１７を組み込むと、そのテ−パ−１７ｅが角筒部１１ａのテ−パ−部所１１ｅに嵌合して取付位置が決まる。
この結果、防塵ゴム１７の内孔１７ｃの中心とＣＣＤ１２の受光面中心とを容易に一致させることができる。
【００５０】
図９は、第３実施形態を示す図３同様の断面図、図１０は第３実施形態の防塵ゴムを示す正面図である。
この実施形態は、防塵ゴム１８の外周二辺に膨出部１８ｅを設けたことが特徴となっており、その他は上記した取付構造と同じ構成である。
【００５１】
防塵ゴム１８は、図１０り分かる通り、隣り合う二辺に湾曲状に張り出させた膨出部１８ｅが設けてある。
なお、図１０に示す参照符号１８ａは周囲部、１８ｂは突状部、１８ｃは内孔であり、これらは上記した防塵ゴム１３と同様の構成である。
【００５２】
このように構成した取付構造は、防塵ゴム１８を孔口部１１ｂに組み込むと、図１１に示した如く、膨出部１８ｅの弾力によって片寄せされる。
この結果、防塵ゴム１８を所定の基準位置に自動的に組み込むことができる。
なお、図１１は図９上のＡ−Ａ線断面図である。
【００５３】
以上、本発明の好ましい実施形態について説明したが、防塵ゴム１３、１７、１８の突状部１３ｂ、１７ｂ、１８ｂについては、必ずしも傾斜面として形成する必要がない。
例えば、図１２、図１３に例示したように、円弧状の凹面１３ｅ又は凸面１３ｆなどとしても同様に実施することができる。
【００５４】
また、防塵ゴム１３、１７、１８は、弾性部材であればよいから、ゴム材の他に合成樹脂材などの弾性材によって構成してもよい。
【産業上の利用可能性】
【００５５】
撮像素子を備えるデジタルカメラ、ビデオカメラ、携帯電話カメラなどの撮影機器に適用することができる。
【図面の簡単な説明】
【００５６】
【図１】第１実施形態として示した取付構造の断面図である。
【図２】上記取付構造の分解斜視図である。
【図３】上記取付構造の要部を拡大して示した断面図である。
【図４】上記取付構造に備えた防塵ゴムを示した拡大斜視図である。
【図５】上記取付構造の変形例を示す図３同様の断面図である。
【図６】上記取付構造の今一つの変形例を示す図３同様の断面図である。
【図７】第２実施形態として示した図３同様の断面図である。
【図８】第２実施形態の防塵ゴムを示した斜視図である。
【図９】第３実施形態として示した図３同様の断面図である。
【図１０】第３実施形態の防塵ゴムを示す正面図である。
【図１１】第３実施形態の防塵ゴムを組み込んだ状態を示した図９上のＡ−Ａ線断面図である。
【図１２】円弧状の凹面によって形成した突状部を有する防塵ゴムを備える取付構造の部分的な拡大断面図である。
【図１３】円弧状の凸面によって形成した突状部を有する防塵ゴムを備える図１２同様の拡大断面図である。
【符号の説明】
【００５７】
１１  ホルダ−
１１ａ  角筒部
１１ｂ  孔口部
１１ｃ  内空部
１１ｅ  テ−パ−部所
１２  ＣＣＤ
１３  防塵ゴム
１３ａ  周囲部
１３ｂ  突状部
１３ｃ  内孔
１４  ロ−パスフィルタ
１５  止め枠
１６  プレ−ト
１７  防塵ゴム
１７ｅ  テ−パ−
１８  防塵ゴム
１８ｅ  膨出部
【図１】
2006100878.tif 000003
【図２】
2006100878.tif 000004
【図３】
2006100878.tif 000005
【図４】
2006100878.tif 000006
【図５】
2006100878.tif 000007
【図６】
2006100878.tif 000008
【図７】
2006100878.tif 000009
【図８】
2006100878.tif 000010
【図９】
2006100878.tif 000011
【図１０】
2006100878.tif 000012
【図１１】
2006100878.tif 000013
【図１２】
2006100878.tif 000014
【図１３】
2006100878.tif 000015